(57)【要約】      （修正有）【課題】レンズチェッカーとして、コンタクトレンズの観察検査についても、光学的な影響を排除すべくレンズ溶液や特殊容器を使用することなく、コンタクトレンズの気中観察を可能にし、観察検査の精度を向上した多機能型のレンズチェッカーを提供する。【解決手段】レンズチェッカーは、一般的な眼鏡レンズや光学レンズの他に、コンタクトレンズについても、照明透過光による明視野と暗視野観察を可能にすると共に、これ等被検レンズの表面に対して、角度調節自在なペンライト６ｆなどの補助光を上記照明光の光軸に対する斜め方向から照射可能にして、被検レンズの表面検査を併せて行えるように構成し、加えて、殊にコンタクトレンズについては、環状部材によるコンタクトレンズ用載置部８による気中支持方式とし、当該載置部８を照明光の光軸と平行な縦軸回りに水平旋回自在に装備した支持アーム手段７を有することを特徴とする。【選択図】図１
2018189475.tif 000002
【特許請求の範囲】
【請求項１】
透過光光源と明視野及び暗視野の遮光切換手段とを内蔵し、上面に被検レンズの載置面
を有する基台と、この基台上の一側に植立させた支柱の上端部には、前記光源と共軸関係
となる様にＣＣＤカメラを前記載置面に対向配置し、かつ上記支柱の既存の部位を利用し
て、補助光源となるペンライトを保持する補助光源手段を、水平方向に旋回自在に後付け
的に装着すると共に、当該補助光源手段はその垂直平面内においてペンライトの取付け角
度を変更調節自在となし、更に前記基台上には、先端に環状部材からなるコンタクトレン
ズ載置部を支えるための支持アームを、前記基台の被検レンズ載置面上方における照明光
軸へ向けて水平に旋回移動自在に枢着装備したことを特徴とする複合型のレンズチェッカ
ー。
【請求項２】
上記コンタクトレンズ載置部は、基台上に水平に旋回移動自在に枢着装備した支持アー
ムに対し、その軸線に沿い摺動自在に設けたスライドバーの先端に設けてなり、被検レン
ズの照明光軸に対する水平面内における位置関係を、遠近自在に調整可能に構成したこと
を特徴とする請求項１記載のレンズチェッカー。
【発明の詳細な説明】
【技術分野】
【０００１】
本発明は、眼鏡用レンズやコンタクトレンズ、及びその他の光学レンズ等の内面の欠陥や
表面のキズ、汚れ、隠し文字、異物等の外観検査を行うための検査装置（所謂、レンズチ
ェッカー）に関する。
【背景技術】
【０００２】
従来の被検レンズの検査装置は、被検レンズに対する照明光を明視野状態、或いは暗視野
状態の下で透過させることにより、内部や外部のキズや汚れの状態をＣＣＤカメラなどに
より撮像し、この撮像データをパソコンやタブレット画面等に拡大表示して観察し、更に
被検レンズの表面に対し、上記明視野及び暗視野の照明方向とは異なる光軸を持つ斜めの
方向から別の補助光源手段を最初から組合せ構成し、この補助光源からの光を照射して、
透過光では確認できなかった被検レンズ表面のキズや汚れ、隠し文字（隠しマークなど）
を確認可能にしたものが知られている。
【０００３】
また殊に、これ等の検査装置におけるコンタクトレンズの検査・観察の場合には、被検レ
ンズ保護の観点からコンタクトレンズ保存液を満たした特殊な容器や、或いはシャーレー
等の収納容器にコンタクトレンズを収容したままの状態で、暗視野・明視野観察や表面の
検査を行うものが知られている。また、一般的な眼鏡用レンズと光学レンズ用及びコンタ
クトレンズ用の各々のレンズ違いに応じた検査機能を備えた個別装置は知られているが、
これ等被検レンズの全てに対応可能な検査機能を備えた複合検査装置は知られていないの
が現状である。  
【先行技術文献】
【特許文献】
【０００４】
上記した如く、一般的な被検レンズを明視野状態と暗視野状態とで観察するよう照明光源
とこの光源に対して共軸関係に対向配置されたＣＣＤカメラなどの撮像装置との間に、被
検レンズと遮光切換板を配置した先行事例としては、例えば下記特許文献１が、また殊に、
被検レンズの表面欠陥を検査するために、レンズ光軸に対する入射角度を変更可能に補助
光手段を設け、その補助光を斜めに照射して表面におけるキズや欠陥による散乱光を結像
光学系により捉えて検査する先行事例として、例えば下記特許文献２が、更に、コンタク
トレンズ専用の外観検査装置の先行技術としては、例えば、下記特許文献３が夫々個別に
知られている。
【特許文献１】特開平９−２１８１３２号公報
【特許文献２】特開２００３−５０１８０号公報
【特許文献３】特開平７−１９０８８４号公報
【発明の概要】
【発明が解決しようとする課題】
【０００５】
本願発明は、一台の検査装置でありながら、一般的な眼鏡などの被検レンズからコンタク
トレンズまでの種々のレンズに対する多機能性を具備し、通常の透過光による暗視野・明
視野観察の他に、レンズ表面観察を可能にすべく、上記の基本的なレンズ外観検査装置の
組立構造を利用して、レンズ表面に対するペンライトを光源とする補助光源手段を後付け
的に取付けて、簡単にレンズ外観検査装置としての機能アップを果すと共に、殊に引用文
献３の如く、コンタクトレンズについて特殊な収納容器を使用することがないので、レン
ズ以外の容器や溶液等による光学的な誤差がないと共に、溶液取り扱いに起因する電気的
な不具合を生ずるおそれも無く、精度よく検査観察が可能な検査装置を提供することにあ
る。
更にまた、小さなコンタクトレンズであっても、その表面の観察部位について、中心部と
周辺部との切換え観察のための移動を容易に行えるような気中支持アーム構造を採用した
ことにより、コンタクトレンズの気中観察を精度良く行うことの可能な検査装置を提供す
ることにある。
【課題を解決するための手段】
【０００６】
透過光光源と明視野及び暗視野の遮光切換手段とを内蔵し、上面に被検レンズの載置面を
有する基台と、この基台上の一側に植立させた支柱の上端部には、前記光源と共軸関係と
なる様にＣＣＤカメラを前記載置面に対向配置し、かつ上記支柱の既存の部位を利用して
、補助光源となるペンライトを保持する補助光源手段を水平方向に旋回自在に、後付け的
に装着すると共に、当該補助光源手段はその垂直平面内において、ペンライトの取付け角
度を変更調節自在となし、更に前記基台上には、先端に環状部材からなるコンタクトレン
ズ載置部を支えるための支持アームを、前記基台の被検レンズ載置面上方における照明光
軸へ向けて水平に旋回移動自在に枢着装備し、複合型のレンズ外観検査装置（レンズチェ
ッカー）を構成したことを特徴とする。
【０００７】
また、上記コンタクトレンズ載置部は、基台上に水平に旋回移動自在に枢着装備した支持
アームに対しその軸線に沿い摺動自在に設けたスライドバーの先端に設けてなり、被検レ
ンズの照明光軸に対する水平面内における位置関係を遠近自在に調整可能に構成したこと
を特徴とする。
【発明の効果】
【０００８】
本発明のレンズチェッカーは、透過光光源と明視野及び暗視野の遮光切換手段とを内蔵し
、上面に被検レンズの載置面を有する基台と、この基台上の一側に植立させた支柱の上端
部には、前記光源と共軸関係となる様にＣＣＤカメラを前記載置面に対向配置し、かつ上
記支柱の組立ボルト穴を利用して、補助光源となるペンライトを保持する補助光源手段を
水平方向に旋回自在に、後付け的に装着すると共に、当該補助光源手段はその垂直平面内
においてペンライトの取付け角度を変更調節自在となしたので、レンズ表面観察に関する
レンズチェッカーとしての機能アップを果すと共に、その組立性の向上と製作コストを低
減して安価な検査装置を提供できる等、実用的にも優れた効果を発揮する。
【０００９】
更に本発明のレンズチェッカーは、前記基台上において、先端に例えば透明の環状部材か
らなるコンタクトレンズ載置部を支えるための支持アームを、前記基台の被検レンズ載置
面上方における照明光軸に直交し、かつ水平に旋回移動自在に枢着装備した構成を有する
ので、一般的な光学レンズのみならずコンタクトレンズ等の種々のレンズを、一台の装置
でありながらレンズ内部の欠陥の他、表面のキズや汚れ及び隠し文字等を、幅広く多機能
に観察し検査することができると共に、特にコンタクトレンズ用保存液・容器を使用する
ことなく、ドライな状態でコンタクトレンズを気中観察できるので、電気的な漏電の心配
もなく安全に観察検査を継続することができるなどの優れた効果を発揮する。
【００１０】
加えて本発明のレンズチェッカーにおけるコンタクトレンズ載置部は、基台上に水平に旋
回移動自在に枢着装備した支持アームに対してその軸線に沿い摺動自在に設けたスライド
バーの先端部に設けてなり、被検レンズの照明光軸に対する水平面内における位置関係を
遠近自在に調整可能に構成したので、コンタクトレンズの中心部から周辺部までの内部キ
ズや表面キズ及び汚れ、欠け、隠し文字等を、精度よく観察検査することが簡単にでき操
作性の良い優れた効果を発揮する。
【図面の簡単な説明】
【００１１】
【図１】本発明のレンズチェッカーの全体構成の一実施例を示す斜視図
【図２】本発明のレンズチェッカーの本体部分の一実施例における正面図
【図３】本発明のレンズチェッカーの図２（正面図）の右側面図
【図４】本発明のレンズチェッカーの平面図
【図５】本発明のレンズチェッカーの背面図
【発明を実施するための形態】
【００１２】
本発明のレンズチェッカーの一実施例を図面に基づいて説明する。
先ず、本発明のレンズチェッカーの全体を表す図１において、基台１の上面中央部には検
眼レンズの載置面２を設けると共に、基台１の内部には、載置面２の背後から照明光を照
射するための一般的な照明用光源と、明視野及び暗視野状態の切換え用の遮光切換え手段
とが内蔵（何れも図示せず）されており、これ等の明視野状態と暗視野状態との切換え操
作用の各操作ボタン１ａと１ｂ、及び光源の光量を調節するための操作ダイヤル１ｃとが
設けられ、更に基台１の一側に植設した支柱３の上端部には、上記照明光源と同軸的でか
つ、載置面２と対向するように被検レンズ（図示せず）の照明映像を撮像するための、例
えば、ＣＣＤカメラユニット４をオーバーハング状態に支持してなり、当該ＣＣＤカメラ
ユニット４により得た撮像データをケーブル接続されたパソコン５またはタブレットなど
におけるディスプレイ画面に拡大表示させて、観察または検査を実施するようになってお
り、これ等の基本的な構成は、従来のレンズチェッカーの構成と大きな差異はない。なお
、図中４ａはカメラのピント合わせ用ダイヤルである。
【００１３】
また、本発明の特徴の一つは、内蔵された照明用光源の他に、光の照射角度を変更調節自
在なように、例えばペンライト式の補助光源手段６を、前記基本的なレンズチェッカー装
置の組立構造の支柱３を利用してその上端部に後付け的に取付け、被検レンズの表面に対
して必要な方向からの補助光を照射できるよう構成したことである。
即ち、この補助光源手段６は、既存の支柱３の上端部の形状に合わせたヘッド部材６ａを
、支柱３の組立て時に必要かつ使用された既存の組立ボルト穴を利用して、当該組立ボル
ト穴に勘合する係合ピン６ｂにより固定する一方、円弧形状のフレーム部材６ｃの一端部
を、上記ヘッド部材６ａに対して前記照明用光軸及びＣＣＤカメラユニット４の撮像軸と
同一の軸線回りに水平旋回自在に組み付け、更にフレーム部材６ｃの両側面に開口された
円弧状のガイド溝６ｄに対する止めネジ６ｅにより装着固定されるペンライト６ｆを有し
、止めネジ６ｅの操作により円弧状のガイド溝６ｄに沿う垂直面内での上下方向の傾き角
度を調節自在に構成されていると共に、円弧状のフレーム部材６ｃを上記ヘッド部材６ａ
に対して旋回させることにより、前記照明用光源の光軸周りの円周方向の照射位置を必要
とされる方向に変更調節可能な機能ユニットとして後付け的に構成してなるものである。
【００１４】
更に本発明のもう一つの特徴は、前記基台１の上面において、照明用光軸と平行な垂直軸
回りに水平旋回自在に設けられたコンタクトレンズ用の載置支持アーム７が片持ち支持状
態に設置され、その先端部に設けられるコンタクトレンズ載置部８を、基台１の被検レン
ズ載置面２の上方において、照明用光源の照射範囲内と範囲外とに出し入れ自在となすこ
とにより、コンタクトレンズ（図示せず）をその保存液や容器の不使用状態の下で、所謂
ドライな気中状態において、照明光と補助光とを照射して観察と検査を可能にしたことで
ある。
加えて、上記コンタクトレンズ載置部８は例えば透明の円環形状であると共に、支持アー
ム７に対してその長手軸線方向に伸縮自在な状態に組み付けられたスライドバー８ａの先
端に一体的に取り付けられているので、支持アーム７とスライドバー８ａの相対的な位置
関係を伸縮調整することにより、上記被検レンズ載置面２の上方において、照明光軸と同
軸状態にコンタクトレンズ載置部８上のコンタクトレンズを保持し、或いは照明光軸とコ
ンタクトレンズ中心軸との両者の軸線をずらした状態に、換言すれば、コンタクトレンズ
の中心部以外の周辺部の観察状態に選択的に保持することができるものである。
【００１５】
以下、本発明のレンズチェッカーの操作要領並びに観察検査要領について、図１乃至図５
に基づいて説明する。
本発明のレンズチェッカーでは、被検レンズの検査または観察を開始するにあたり、基台
１のレンズ載置面２の上に被検レンズ（図示せず）を載せて、照明用光源の光量を操作ダ
イヤル１ｃにより調節しながら被検レンズを操作ボタン１ａによる明視野状態、または操
作ボタン１ｂによる暗視野状態のいずれかの照明状態に置いたまま、照明の当てられた被
検レンズの透過映像をＣＣＤカメラユニット４で撮像し、この撮像データをパソコン５な
どのディスプレイ画面に拡大表示して、被検レンズの内部欠陥や表面のキズまたは汚れな
どを観察検査するが、このような操作手順や観察手順は従来のものと変わりはない。なお
、図５の背面図における符号９は、照明用光源やＣＣＤカメラユニット４などに対する電
源接続部を示す。
しかし、本発明のレンズチェッカーの場合は、上記明視野と暗視野の観察状態では確認す
ることが難しい場合や、明白にならないような被検レンズ表面の汚れや隠し文字について
も容易に観察検査することができるように、補助光を必要な方向から斜めに照射すること
を可能にする補助光源手段６を有するものである。
【００１６】
本発明のレンズチェッカーにおける補助光源装置６は、図１及び図３からも明らかなよう
に、支柱３の上端部に支柱３の既存の組立用ボルト穴を利用して、これに勘合する係合ピ
ン６ｂにより固定されたヘッド部材６ａに対し、円弧形状のフレーム部材６ｃの一端部が
、ＣＣＤカメラユニット４の光軸周りに水平旋回可能な関係に装着されているので、フレ
ーム部材６ｃを被検レンズの円周方向の表面の特定位置に対する補助光の照射位置につい
て、これを容易かつ自在に変更調節して目的とする所望の照明効果が得られるようにし、
レンズ表面のキズや汚れ、或いは隠し文字などの観察確認作業を行うことができる。
【００１７】
一方、今までのような眼鏡レンズや光学レンズの一般的な観察検査の操作要領以外に、コ
ンタクトレンズの検査等をする場合には、コンタクトレンズ専用の支持アーム７の先端部
の載置部８上にコンタクトレンズ（図示せず）を載置した後、支持アーム７を水平旋回し
て載置部８を基台１の載置面２の上方位置におけるＣＣＤカメラユニット４の光軸位置に
一致させるようにして撮像する（図２等を参照）。
この際、先の照明光源による明視野または暗視野の照明光をコンタクトレンズの裏側から
照射し、或いは前記した補助光源装置６のペンライト６ｆによる補助光をレンズ表面に対
し斜めの方向から照射することにより、表面のキズや汚れ、隠し文字などを際立たせて撮
像し、これを映像として確認することができるので、観察や検査を精度よくかつ簡単に行
うことができる優れた効果を有する。
【００１８】
更に本発明のレンズチェッカーにおいては、特にコンタクトレンズの観察部位（検査部位
）について、これをその中心部から周辺部に変更することができ、観察位置を変更したい
場合には、コンタクトレンズ（図示せず）を載置部８に載せたままの状態で、支持アーム
７を水平に旋回移動させたり、或いはスライドバー８ａを支持アーム７に対して相対的に
摺動移動させることにより、載置部８の位置を前記ＣＣＤカメラユニット４の光学軸線か
らその半径方向に遠近自在に移動させ、コンタクトレンズの周辺部を撮像位置に合わせる
ことができるので、コンタクトレンズの中心部と周辺部における僅かなキズや汚れなどを
確実に把握することができ、精度の良い観察検査を簡単に行うことができる。
そしてこれらコンタクトレンズの観察検査の作業工程において大事なことは、コンタクト
レンズの周囲のみが円環状の透明の載置部８に当接するように載置されているだけなので
、載置部８が光学的に影響を与えて観察や検査の障害になるようなことはなく、誤差も生
じないので、観察検査を精度よく行うことができる優れた効果を発揮するものである。
【産業上の利用可能性】
【００１９】
本発明は、多機能型の観察検査装置として眼鏡レンズやその他の光学レンズ、及びコンタ
クトレンズの欠陥やキズ、汚れや隠れ文字まで、広範囲な被検レンズの観察検査に利用可
能なレンズチェッカーとして有用であり、光学技術の産業分野において利用可能である。
【符号の説明】
【００２０】
１    基台
２    被検レンズの載置面
３    支柱
４    ＣＣＤカメラユニット
６    補助光源手段
６ｆ  ペンライト
７    支持アーム
８    コンタクトレンズ載置部
【図１】
2018189475.tif 000003
【図２】
2018189475.tif 000004
【図３】
2018189475.tif 000005
【図４】
2018189475.tif 000006
【図５】
2018189475.tif 000007